(57)【特許請求の範囲】
【請求項１】
内視鏡の操作部から延長されたユニバーサルチューブの先端部に設けられた、ビデオプロセッサに対して着脱されるコネクタ部本体；
上記コネクタ部本体のアウタケース内に位置するシールドケース；
このシールドケース内に位置させた電子回路；及び
上記コネクタ部本体から突出させた、ライトガイドファイババンドルを内部に有するライトガイド差込みプラグ；
を備え、
上記ライトガイドファイババンドルを、上記コネクタ部本体のアウタケースとシールドケースの間の空間を通過させてシールドケース内を通過させることなく、ユニバーサルチューブからライトガイド差込みプラグに導いたことを特徴とする電子内視鏡のシールド構造。
【請求項２】
請求項１記載の電子内視鏡のシールド構造において、シールドケースは、上記アウタケースのライトガイド差込みプラグ取付壁内面に沿う突出部を備え、この突出部及びコネクタ部本体のアウタケースに、上記ライトガイド差込みプラグが支持されている電子内視鏡のシールド構造。
【請求項３】
請求項２記載の電子内視鏡のシールド構造において、シールドケースは、上記電子回路を包囲する包囲部と、この包囲部から突出した上記突出部とを有している電子内視鏡のシールド構造。
【発明の詳細な説明】
【０００１】
【技術分野】
本発明は、電子内視鏡のシールド構造に関する。
【０００２】
【従来技術及びその問題点】
電子内視鏡では、内視鏡の対物光学系による画像をＣＣＤ上に結像させてその画像信号をＣＣＤケーブルを介して外部のビデオプロセッサに伝送し、あるいは光源ユニットから出射した光をライトガイドファイババンドルに通して内視鏡の体内挿入部先端まで送光している。このため、内視鏡操作部から延長されたユニバーサルチューブの先端部にコネクタ部を設け、このコネクタ部に、ビデオプロセッサとの接続プラグと光源ユニットに接続される照明用ライトガイド差込みプラグを設けている。光源ユニットはビデオプロセッサ内に備えられることが多い。
【０００３】
コネクタ部には一般に、ＣＣＤを走査して画像をデジタル信号として取り込むとともに、ＣＣＤからの微小信号を増幅してビデオプロセッサに出力する働きをするＣＣＤドライバ基板が設けられている。このため、コネクタ部には、ＣＣＤドライバ基板の電磁ノイズを遮蔽するシールドケース（放射ノイズシールド用金属ケース）が配置されており、ＣＣＤドライバ基板から発生する電磁ノイズがコネクタ部の外部に漏洩するのを防止していた。
【０００４】
他方、コネクタ部には、上述のようにライトガイド差し込みプラグに接続されるライトガイドファイババンドルが導かれている。このライトガイドファイババンドルは従来、コネクタ部内に備えられているシールドケースを通してライトガイド差し込みプラグに接続されていた。すなわち、コネクタ部にはシールドケースを設けるのが技術的常識であり、ライトガイドファイババンドルをこのシールドケースに通すのも技術的常識とされていた。しかし、ライトガイドファイババンドルをシールドケース内に通すには、該シールドケースにライトガイドファイババンドル用の挿通穴を形成しなければならず、ライトガイドファイババンドルを磁気シールドしなければならない理由はない。シールドケースに穿けるファイバ挿通穴は、明らかに電磁ノイズのシールド性能を悪化させる。
【０００５】
【発明の目的】
本発明は、内視鏡コネクタ部の電磁ノイズのシールド特性を向上させることができる電子内視鏡のシールド構造を得ることにある。
【０００６】
本発明は、内視鏡の操作部から延長されたユニバーサルチューブの先端部に設けられた、ビデオプロセッサに対して着脱されるコネクタ部本体；コネクタ部本体のアウタケース内に位置するシールドケース；このシールドケース内に位置させた電子回路；及び上記コネクタ部本体から突出させた、ライトガイドファイババンドルを内部に有するライトガイド差込みプラグ；を備え、上記ライトガイドファイババンドルを、上記コネクタ部本体のアウタケースとシールドケースの間の空間を通過させてシールドケース内を通過させることなく、ユニバーサルチューブからライトガイド差込みプラグに導いたことを特徴としている。
【０００７】
このように、ライトガイド差込みプラグに導かれるライトガイドファイババンドルを、シールドケース外に位置させることにより、シールドケースにライトガイドファイババンドル用の挿通穴を穿ける必要がなく、シールドケースから外部への電磁ノイズの漏洩をより確実に防止できる。
【０００８】
シールドケースは、コネクタ部本体のアウタケースのライトガイド差込みプラグ取付壁内面に沿う突出部を備えていて、この突出部及びコネクタ部本体のアウタケースによって、ライトガイド差込プラグを支持することが好ましい。より具体的には、シールドケースは、電子回路を包囲する包囲部とこの包囲部から突出した上記突出部とを有しているのがよい。このようにアウタケース及びシールドケースの突出部の両方によってライトガイド差込プラグを支持すれば、ライトガイド差込プラグを支持する力が増加するという効果が得られる。
【０００９】
【発明の実施の形態】
図１に示すように、この実施形態の電子内視鏡１は、可撓性を有する先端側の体内挿入部２と、基部の操作部３と、この操作部３から延長されたユニバーサルチューブ４と、このユニバーサルチューブ４の先端部に設けられたコネクタ部本体６を有している。体内挿入部２の先端部には対物光学系（不図示）が設けられていて、この対物光学系による像は、固体撮像素子（例えばＣＣＤ（電荷結合素子））でデジタル信号に変換される。このデジタル信号は、体内挿入部２、操作部３及びユニバーサルチューブ４に挿通されたＣＣＤケーブル１７（図２参照）を介してコネクタ部本体６に導かれる。また、体内挿入部２の先端部には照明窓（不図示）が設けられ、この照明窓に対して照明光を伝送するライトガイドファイババンドル２６（図２参照）が、体内挿入部２、操作部３及びユニバーサルチューブ４に挿通されてコネクタ部本体６に導かれている。
【００１０】
コネクタ部本体６には、ビデオプロセッサ５に接続される接続プラグ１９と、ビデオプロセッサ５内の光源ユニット（不図示）に接続されるライトガイド差し込みプラグ２３とが突出形成されている。ビデオプロセッサ５には、この接続プラグ１９とライトガイド差し込みプラグ２３に対応する接続プラグとライトガイド差込みプラグ（共に不図示）が設けられている。
【００１１】
図２及び図３に示すように、コネクタ部本体６は、外殻を形成する合成樹脂製のアウタケース７と、このアウタケース７内に位置するシールドケース（放射ノイズシールド用金属ケース）８を有している。シールドケース８は、略正方形状の包囲部８０と、包囲部８０から図２の下方向に突出させて形成した突出部８１とからなる。包囲部８０には、ＣＣＤを走査して画像をデジタル信号として取り込むとともにＣＣＤからの微小信号を増幅してビデオプロセッサ５に出力する働きをするＣＣＤドライバ基板（電子回路）１４と、ＣＣＤケーブル１７及びリモートケーブル１８から生じる電磁ノイズを除去する磁性コア１３とが備えられている。磁性コア１３は磁性材料により形成される。リモートケーブル１８は、操作部３に設けられている各種のスイッチ装置に接続されている。また包囲部８０には、ＣＣＤケーブル１７とリモートケーブル１８を挿通する開口８ａが形成されている。この包囲部８０は、ＣＣＤドライバ基板１４及び磁性コア１３を内部に収納した後、シールドケース８の一部をなす金属カバー１５で施蓋され、密閉される。よって、ＣＣＤドライバ基板１４から発生する電磁ノイズがシールドケース８（包囲部８０）から漏れることがない。
【００１２】
磁性コア１３は、貫通穴１３ａを有し、金属プレート１６を介してシールドケース８内に支持されている。この磁性コア１３の貫通穴１３ａには、内視鏡の体内挿入部２側からユニバーサルチューブ４内に挿通して延長されたＣＣＤケーブル１７及びリモートケーブル１８が１回巻き付けてあり、このＣＣＤケーブル１７及びリモートケーブル１８の端部はＣＣＤドライバ基板１４の端子に接続されている。
【００１３】
コネクタ部本体６のアウタケース７には、吸引ニップル９、送気送水口１０、帰還端子１１、圧力調節弁１２が設けられている（図１及び図２参照）。吸引ニップル９は外部の図示しない吸引機構に接続されるもので、その先端部は、ユニバーサルチューブ４、操作部３及び体内挿入部２に挿通され、体内挿入部２の先端部の図示しない吸引チャンネルに接続されている。送気送水口１０は、外部の送気送水源に接続されるもので、その先端部は、同様にユニバーサルチューブ４、操作部３及び体内挿入部２に挿通され、体内挿入部２の先端部の対物光学系の観察窓（対物レンズ）表面に対向する送気送水ノズルに接続されている。帰還端子１１は、高周波電力を使用する処置具例えば電気メスの使用時の安全を確保するために設けられている。圧力調節弁１２は、内視鏡内部と内視鏡外部との圧力を同等にするために設けられた調整弁であって、例えばＥＯＧ減菌やオートクレープ減菌を行なう場合に操作される。
【００１４】
アウタケース７とシールドケース８の包囲部８０には、接続プラグ１９及びプラグケース２０用の取付け口７ａ、８ｂがそれぞれ開口形成されている。接続プラグ１９は、中心に＋端子１９ａが位置し、その放射方向に筒状の−端子１９ｂが絶縁されて位置している。プラグケース２０は、絶縁材２１を介してネジ２２でシールドケース８の取付口８ｂに取付けられている。本実施形態では、プラグケース２０にも電磁ノイズを遮蔽するシールド機能を付与してある。
【００１５】
一方、アウタケース７とシールドケース８の突出部８１には、ライトガイド差込みプラグ２３用の取付け口７ｂ、８ｃがそれぞれ開口形成されている。ライトガイド差込みプラグ２３は、その基部が取付け口７ｂ、８ｃに嵌め込まれた状態で絶縁材２４を介してネジ２５によりネジ止めされることで、アウタケース７及びシールドケース８の突出部８１に支持される。このようにライトガイド差込プラグ２３がアウタケース７及びシールドケース８（突出部８１）の両方によって支持されていると、アウタケース７のみでライトガイド差込プラグ２３を支持する場合よりもライトガイド差込プラグ２３を支持する力が増大する効果も得られる。
【００１６】
ライトガイド差込みプラグ２３には、基部側から先端部に達する保持孔２３ａが穿けられている。コネクタ部本体６内に導かれたライトガイドファイババンドル２６は、シールドケース８の包囲部８０内を通過することなく（つまりシールドケース８の突出部８１を通って）ライトガイド差込みプラグ２３内の保持孔２３ａ内に保持され、ライトガイド差込みプラグ２３の先端部まで差込まれている。ライトガイド差込みプラグ２３の先端部には導光レンズ２７が組み込まれ、ライトガイドファイババンドル２６は集光レンズ２７を介してビデオプロセッサ５側の図示しない光源ユニットに接続される。
【００１７】
ビデオプロセッサ５には、接続プラグ１９とライトガイド差し込みプラグ２３に対応する接続プラグとライトガイド差込みプラグ（図示略）が設けられており、コネクタ部本体６をビデオプロセッサ５に接続すると、接続プラグ１９とこれらプラグ間での接続が完了して、光源ユニットからの光が照明窓へ、対物光学系による画像信号がビデオプロセッサ５にそれぞれコネクタ部本体６を介して導かれる。
【００１８】
以上のように、本実施形態では、ライトガイドファイババンドル２６はシールドケース８の包囲部８０内に挿通されていない。すなわち、シールドケース８の包囲部８０には、ライトガイド差込みプラグ２３に対応する挿通穴が形成されていない。このため、シールドケース８の包囲部８０から電磁ノイズが漏れることがなく、コネクタ部本体６外部への電磁ノイズ漏洩を防止することができる。
【００１９】
なお、この実施形態では、対物光学系による画像を電気信号に変換するためのＣＣＤに対応させてＣＣＤドライバ基板を用いているが、ＣＣＤに代る素子を用いた場合には、ＣＣＤドライバ基板に代る電子回路が用いられることは言うまでもない。
【００２０】
【発明の効果】
以上説明したように本発明によれば、コネクタ部本体からの電磁ノイズの漏洩を防止できる電子内視鏡のシールド構造を得ることができる。
【図面の簡単な説明】
【図１】本発明を適用した電子内視鏡を示す全体図である。
【図２】ユニバーサルチューブの先端部に設けたコネクタ部本体を示す縦断面図である。
【図３】図２のIII−III断面図である。
【符号の説明】
１  電子内視鏡
４  ユニバーサルチューブ
５  ビデオプロセッサ
６  コネクタ部本体
７  アウタケース
８  シールドケース
１４  ＣＣＤドライバ基板（電子回路）
１９  接続プラグ
２３  ライトガイド差込みプラグ
【図１】
0003967588.tif 000002
【図３】
0003967588.tif 000003
【図２】
0003967588.tif 000004